(57)【要約】【課題】  基体上に伸縮本体が固定的に装着されていると、１台の注意喚起装置を多目的に使用することが難しく稼働効率が低かった。【解決手段】  大型の給気口２が開設された箱状の基体１の内部に、給気口２から空気を給送するためのブロア５と、前記給気口２から外部へ光を放射する発光装置６とが収納されている。伸縮本体１１には前記給気口２に合致し内部に空気を吸入する吸気口１２が開設され、前記給気口２を通して内部に空気が供給されることによって膨張し、内部の空気が排出されることによって収縮する。伸縮本体１１は基体１に対して着脱自在に装着されている。【選択図】図３
2014066121.tif 000002
【特許請求の範囲】
【請求項１】
道路等の地上に立設して看者の注意を喚起させる注意喚起装置であって、
外部から空気を吸入する貫通孔と、吸入した空気を給送するための大型の給気口とが開設された箱状の基体の内部に、前記貫通孔を通して吸入した空気を前記給気口から給送するためのブロアと、前記給気口から外部へ光を放射する発光装置とが収納され、当該給気口に合致し内部に空気を吸入する吸気口が開設され、前記給気口を通して内部に空気が供給されることによって膨張し、内部の空気が排出されることによって収縮する伸縮本体の前記吸気口が、前記基体の給気口に着脱自在に装着されていることを特徴とする注意喚起装置。
【請求項２】
前記基体の内部に、ブロアと発光装置に電力を供給するためのバッテリが装着されている請求項１記載の注意喚起装置。
【請求項３】
前記基体の給気口に前記伸縮本体の吸気口が装着されている状態で、外部へ空気を排出する空気排出通路が形成されている請求項１又は請求項２に記載の注意喚起装置。
【請求項４】
前記基体の給気口の口縁部に、前記伸縮本体の吸気口が装着されている状態で、外部へ空気を排出する空気排出溝が形成されている請求項３記載の注意喚起装置。
【請求項５】
前記基体の給気口に、前記伸縮本体の吸気口が面ファスナもしくは磁石によって着脱自在に装着されている請求項１ないし請求項４のいずれかに記載の注意喚起装置。
【請求項６】
前記伸縮本体は、透光性を有している請求項１ないし請求項５のいずれかに記載の注意喚起装置。
【請求項７】
前記伸縮本体は、鉛直方向に長寸を有する円筒形を呈している請求項１ないし請求項６のいずれかに記載の注意喚起装置。
【請求項８】
前記伸縮本体は、水平方向を指示する矢印状を呈している請求項１ないし請求項６のいずれかに記載の注意喚起装置。
【請求項９】
前記伸縮本体は、横長もしくは縦長の三角状を呈している請求項１ないし請求項６のいずれかに記載の注意喚起装置。
【請求項１０】
前記伸縮本体は、球体を鉛直方向に複数個積載した形状を呈している請求項１ないし請求項６のいずれかに記載の注意喚起装置。
【請求項１１】
前記伸縮本体は、ファスナによって２分割され得るように構成されている請求項１ないし請求項１０のいずれかに記載の注意喚起装置。
【請求項１２】
水平方向に延在する１個の伸縮本体に、その延在方向に沿って複数の吸気口が開設され、前記各吸気口の数に対応する数の基体が並設されており、前記伸縮本体の各吸気口が前記各基体の給気口に着脱自在に装着されている請求項１ないし請求項１１のいずれかに記載の注意喚起装置。
【発明の詳細な説明】
【技術分野】
【０００１】  本発明は、例えば道路上の工事現場や事故現場などにおいて、走行中の車両のドライバーなどの看者の注意を喚起し、更なる事故の発生を未然に防止するために設置されたり、イベント会場などで集客用の宣伝広告のために設置される注意喚起装置に関するものであり、注意喚起部となる伸縮本体と、当該伸縮本体に空気を供給する基体とが分離可能に構成されていることを特徴とするものである。
【背景技術】
【０００２】  従来、注意喚起部となる伸縮本体と、当該伸縮本体に空気を供給する基体とが一体的に構成されている注意喚起装置は公知である（特許文献１、特許文献２参照）。【０００３】
【先行技術文献】
【０００４】
【特許文献１】  特開平１０−１４０５３４号公報（図１、図２）
【特許文献２】  特開２００９−６８１６３号公報（図２）
【発明の概要】
【発明が解決しようとする課題】
【０００５】  上記従来の注意喚起装置では、注意喚起部となる伸縮本体と、当該伸縮本体に空気を供給する駆動部となる基体とが一体的に構成されていた。【０００６】  従って、従来の注意喚起装置では、その用途に応じて各種の注意喚起装置を用意する必要があり、比較的稼働率の高い装置があれば、稼働率が極端に低い装置もあった。【０００７】  即ち、その用途に応じた各種の伸縮本体が必要になるが、基体は基本的には一種で間に合う。しかし、前述のように従来の注意喚起装置では、注意喚起部となる伸縮本体と、当該伸縮本体に空気を供給する基体とが一体的に構成されていたため、１個の伸縮本体につき１第の基体が必要になって、全体的に稼働率が悪かった。【０００８】  本発明は、上記のような従来の問題点に鑑み、注意喚起部となる伸縮本体と、駆動部となる基体とを分離可能とし、１台の基体に対して複数個の伸縮本体を着脱することによって基体の稼働率を上げようとするものである。
【課題を解決するための手段】
【０００９】  （１）本発明は、道路等の地上に立設して看者の注意を喚起させる注意喚起装置であって、外部から空気を吸入する貫通孔と、吸入した空気を給送するための大型の給気口とが開設された箱状の基体の内部に、前記貫通孔を通して吸入した空気を前記給気口から給送するためのブロアと、前記給気口から外部へ光を放射する発光装置とが収納され、当該給気口に合致し内部に空気を吸入する吸気口が開設され、前記給気口を通して内部に空気が供給されることによって膨張し、内部の空気が排出されることによって収縮する伸縮本体の前記吸気口が、前記基体の給気口に着脱自在に装着されていることを特徴とするものである。【００１０】  本発明では、前記伸縮本体が基体に対して着脱自在に装着されるので、１台の基体に対し、用途に応じた複数種の伸縮本体を装着することができる。【００１１】  （２）本発明において、前記基体の内部に、ブロアと発光装置に電力を供給するためのバッテリが装着されていることが好ましい。【００１２】  前記基体の内部にバッテリが装着されていると、現場において別途電源を用意する必要がない。【００１３】  （３）本発明において、前記基体の給気口に前記伸縮本体の吸気口が装着されている状態で、外部へ空気を排出する空気排出通路が形成されていることが好ましい。【００１４】  前記基体の給気口に前記伸縮本体の吸気口が装着されている状態で、外部へ空気を排出する空気排出通路が形成されていると、ブロアによって前記伸縮本体に供給された空気は前記空気排出通路から適量が排出されるので、前記伸縮本体は所望の膨張状態を維持し続けることになる。【００１５】  （４）本発明において、前記基体の給気口の口縁部に、前記伸縮本体の吸気口が装着されている状態で外部へ空気を排出する空気排出溝が形成されていることが好ましい。【００１６】  前記基体の給気口の口縁部に、前記伸縮本体の吸気口が装着されている状態で外部へ空気を排出する空気排出溝が形成されていると、ブロアによって前記伸縮本体に供給された空気は前記空気排出溝から適量が排出されるので、前記伸縮本体は所望の膨張状態を維持し続けることになる。【００１７】  この場合、伸縮本体側に個別に空気排出通路を設ける必要はない。【００１８】  （５）本発明において、前記基体の給気口に、前記伸縮本体の吸気口が、面ファスナもしくは磁石によって着脱自在に装着されていることが好ましい。【００１９】  前記基体の給気口に、前記伸縮本体の吸気口が磁石もしくは面ファスナによって着脱自在に装着されていると、１台の基体に対して複数種の伸縮本体の着脱が迅速にできることになる。【００２０】  （６）本発明において、前記伸縮本体は、透光性を有していることが好ましい。【００２１】  前記伸縮本体が透光性を有していると、前記基体内の発光装置から照射された光は前記伸縮本体を通して外部に漏光し看者の目に入り、注意喚起力が高まることになる。【００２２】  （７）本発明において、前記伸縮本体は、鉛直方向に長寸を有する円筒形を呈していることが好ましい。【００２３】  前記伸縮本体が鉛直方向に長寸を有する円筒形を呈していると、前記伸縮本体の表面に各種の文字や図形を記載することが容易となって注意喚起力が強化される。【００２４】  （８）本発明において、前記伸縮本体は、水平方向を指示する矢印状を呈していることが好ましい。【００２５】  前記伸縮本体が水平方向を指示する矢印状を呈していると、前記伸縮本体に文字や図形を記載しなくとも、前記伸縮本体をそのまま道案内として使用することができる。【００２６】  （９）本発明において、前記伸縮本体は、横長もしくは縦長の三角状を呈していることが好ましい。【００２７】前記伸縮本体が横長もしくは縦長の三角状を呈していると、形状の奇異さも手伝って注意喚起力が強化される。【００２８】  （１０）本発明において、前記伸縮本体は、球体を鉛直方向に複数個積載した形状を呈していることが好ましい。【００２９】  前記伸縮本体が球体を鉛直方向に複数個積載した形状を呈していると、形状の奇異さも手伝って注意喚起力が強化される。【００３０】  （１１）本発明において、前記伸縮本体は、ファスナによって２分割され得るように構成されていることが好ましい。【００３１】  前記伸縮本体がファスナーによって２分割され得るように構成されていると、前記伸縮本体を基体から離脱させることなく、当該伸縮本体内の空気を短時間で迅速に排出することが可能となる。【００３２】  （１２）本発明において、水平方向に延在する１個の伸縮本体に、その延在方向に沿って複数の吸気口が開設され、前記各吸気口の数に対応する数の基体が並設されており、前記伸縮本体の各吸気口が、前記各基体の給気口に着脱自在に装着されていることが好ましい。【００３３】  水平方向に延在する１個の伸縮本体に複数の吸気口が開設され、前記各吸気口の数に対応する数の基体が並設されており、前記伸縮本体の各吸気口が前記各基体の給気口に着脱自在に装着されていると、１個の伸縮本体に対して複数の基体から空気を供給することができるので、前記伸縮本体が大型であっても迅速に膨張させることが可能となる。
【発明の効果】
【００３４】  本発明では、前記伸縮本体が基体に対して着脱自在に装着されるので、１台の基体に対して用途に応じた複数種の伸縮本体を装着することができる。【００３５】  従って、用途に応じた数の基体を用意しなくとも、１台の基体に対して複数個の伸縮本体を着脱することができるので基体の稼働率を向上させることができる。
【図面の簡単な説明】
【００３６】
【図１】  本発明の実施形態に係る基体に円筒形の伸縮本体が装着され、膨張状態にある注意喚起装置のでは斜視図である。
【図２】  基体の外観斜視図である。
【図３】  伸縮本体の一部と基体の縦断面図である。
【図４】  基体の平面図である。
【図５】  矢印状の伸縮本体が基体に装着された状態の正面図である。
【図６】  横長の三角形状の伸縮本体が基体に装着された状態の正面図である。
【図７】  縦長の円錐形状の伸縮本体が基体に装着された状態の正面図である。
【図８】  球体を鉛直方向に複数個積載した形状の伸縮本体が基体に装着された状態の正面図である。
【図９】  水平方向に延在する大型の伸縮本体が複数台の基体に装着された状態の正面図である。
【発明を実施するための形態】
【００３７】  以下、図面を参照しつつ、本発明の実施の形態を説明する。
【００３８】  ［基体の構造］
図２ないし図４は基体１を示し、ステンレスで形成された円筒状の基体１の上面全体が給気口２となっており、その口縁にフランジ３が形成されている。なお、前記基体１はステンレス以外の金属と強化プラスチックの組み合せでもよい。
【００３９】  前記基体１の内底部には、外部からの空気を前記基体１内に吸入するための貫通孔４が穿設されている。
【００４０】  前記貫通孔４の上部には、当該貫通孔４を通して外部から空気を前記基体１内に吸入すると同時に、前記基体１の給気口２から上方に空気を供給するためのブロア５が搭載されており、その側部に前記ブロア５を駆動するバッテリ１７が搭載されている。
【００４１】  このブロア５は周知のもので、一般的に空気の移送するためのファンと、当該ファンを回転駆動するためのモータと、その制御基板とによって構成されている。
【００４２】  また前記ブロア５の上部には、上方に、即ち前記給気口２から外部に光を放射する発光装置６が搭載され、当該発行装置６も前記ブロア５に接続されている。
【００４３】  この発光装置６は、円形の大型反射鏡７とその中央に固着された発光球８とよりなり、当該発光球８から放射された光は効率よく上方に放射されるように構成されている。なお発光球８としては一般的な投光ランプでもよいが、回転灯やＬＥＤも使用可能である。
【００４４】  前記基体１のフランジ３の上部には、当該フランジ３と同様の形状で円周方向に４分割された環状板９が固着されていて、前記各環状板９の間に空気排出溝１０が形成されている。
【００４５】  なお、前記フランジ３上に前記環状板９を固着せず、当該フランジ３の上面に放射状の空気排出溝１０を直接削設してもよい。
【００４６】  前記環状板９もしくはフランジ３の上面には、周知の面ファスナ１８（図３）の一方の面が固着されている。なお、この面ファスナ１８の代わりに磁石でもよい。
前記基体１の外周側壁には取っ手１３が、外底部にはゴム足１４がそれぞれ固着されている。
【００４７】  ［伸縮本体の構造］
図５ないし図９は、基体１に装着されている各種の伸縮本体１１を示している。
【００４８】  伸縮本体１１は、いずれも塩化ビニールやポリエチレン等の軟質の合成樹脂にて形成されていて半透明である。
【００４９】  図３に示すように、前記伸縮本体１１の下端には、前記基体１の給気口２と同径の吸気口１２が開設されており、その下端縁には前記基体１のフランジ３と同様なフランジ１５が固着されている。
【００５０】  前記伸縮本体１１のフランジ１５の下面には、前記基体１の環状板９やフランジ３に固着されている前記面ファスナ１８の一方の面に係合する他方の面や、磁性体が固着されている。
【００５１】  また、伸縮本体１１自体は赤色や白色に着色されていてもよく、表面に用途に合った文字が記載されていてもよい。
【００５２】  なお、前記伸縮本体１１には必ずしもフランジ１５は固着されている必要はなく、その吸気口１２の口縁に直接面ファスナ１８や磁石が固着されていてもよい。
【００５３】  ［伸縮本体の膨張］
本発明に係る注意喚起装置を所定の場所に設置するには、先ず基体１を所望の位置に載置し、次いで前記基体１の給気口２と伸縮本体１１の吸気口１２を突き合わせ、両開口２、１２を対向させた状態で、前記磁石や面ファスナ１８で相互に固定する。
【００５４】  その状態で、前記ブロア５を発動させると、基体１の底部の貫通孔４から外気が吸引され、同時に吸引された空気は基体１の給気口２から伸縮本体１１の吸気口１２を通過して伸縮本体１１内部に送り込まれ、その空気圧によって伸縮本体１１が膨張し、立ち上がることになる。
【００５５】  前記伸縮本体１１内に空気が充満した後は、供給された空気は前記空気排出溝１０から外部に排出され、前記ブロア５が動作している間は、前記伸縮本体１１はその膨張状態が維持される。
【００５６】  なお、前記伸縮本体１１を膨張させるときは前記ブロア５の出力を上げ、一旦させた後は前記ブロア１１の出力を下げることによって消費電力を低減させることが可能となる。
【００５７】  そして、夜間は前記発光装置６を発光させることによって、伸縮本体１１全体を内部から証明することができる。
【００５８】［伸縮本体の形態］
図１および図５ないし図９は各種の形態の伸縮本体１１を示し、図１に示す伸縮本体１１は鉛直方向に長い円筒形を呈している。
【００５９】  この図１に示す伸縮本体１１は、その略中央で上下に分割されており、分割部分は円周方向に延在するファスナ１６に着脱自在に接続されている。
【００６０】  前記伸縮本体１１を収納する場合、前記ファスナ１６を開放すると伸縮本体１１内の空気は一気に外部に放出され一瞬で縮小されることになる。
【００６１】  また、伸縮本体１１を基体１から離脱させるには、前記面ファスナ１８や磁石の部分を引き剥がすと簡単に離脱させることができ、異なる種類の伸縮本体１１に短時間で容易に交換することができる。
【００６２】  図５に示す伸縮本体１１は、水平な一定方向（この図では左方向）を指示する形態を有しており、伸縮本体１１自体が矢印の役を果たすものである。
【００６３】  図７に示す伸縮本体１１は、横長の直角三角形状を呈しており、例えば坂道を表したりすることができる。
【００６４】  図８に示す伸縮本体１１は、縦長の円錐形状を呈しており、所謂ジャンボコーンをして使用することができる。
【００６５】  図８に示す伸縮本体１１は、球体を鉛直方向に３個載した形状を呈しており、趣向を凝らした形状から、展示会や販売店のキャンペーンのキャラクタとしても使用できる。
【００６６】  図９は、水平方向に延在する大型の伸縮本体１１が３台の基体１に装着された状態を示している。
【００６７】  伸縮本体１１が大型で水平方向に延在している場合、１個の基体１では膨張させるのに時間がかかり、また当該伸縮本体１１を下から１か所で支えると撓んでしまう恐れがあるが、かように３台の基体１を設置し、３か所から支えると、前記伸縮本体１１は迅速に、且つ撓むことなく膨張する。
【００６８】  図示はしていないが、前記基体１を鉛直方向に９０度回転させ、その給気口２が水平方向を向き、前記伸縮本体１１も水平方向に延在するように設置することも可能である。
【符号の説明】
【００６９】  １      基体
２      給気口
３      フランジ
４      貫通孔
５      ブロア
６      発光装置
７      反射鏡
８      発光球
９      環状板
１０      空気排出溝
１１      伸縮本体
１２      吸気口
１３      取っ手
１４      ゴム足
１５      フランジ
１６      ファスナ
１７      バッテリ
１８      面ファスナ
【図１】
2014066121.tif 000003
【図２】
2014066121.tif 000004
【図３】
2014066121.tif 000005
【図４】
2014066121.tif 000006
【図５】
2014066121.tif 000007
【図６】
2014066121.tif 000008
【図７】
2014066121.tif 000009
【図８】
2014066121.tif 000010
【図９】
2014066121.tif 000011